(57)【要約】【課題】管理、陳列、携帯に都合の良い形態と取り出し使用に都合の良い容器。【解決手段】折り畳み片部２２は、第一罫線Ｍと第三罫線Ｎとの間にある片部部分２２ａ’と、非切り抜き部ｋを有する第三の仮想線ｎからの切り抜き線Ｋで区分される突き出し延設片部分２２ａ”とで構成される第一片部２２ａと、第一片部２２ａを除く第二片部２２ｂとを備えており、周側シート部２０の起立に伴って、第一罫線Ｍから第一罫線Ｍに連設されている側部シート部２１ａの外周面に折り畳み片部２２を添わせるようにして、第一片部２２ａの少なくとも延設片部分２２ａ”を側部シート部２１ａに接着させた態様と、切り抜き線Ｋの非切り抜き部ｋを破断して第二片部２２ｂを第一片部２２ａに添装させるように第三罫線Ｎで屈曲可能に構成した。【選択図】図１０
2009286467.tif 000002
【特許請求の範囲】
【請求項１】
一枚のシートからなる容器であって、
底シート部と当該底シート部を囲繞するように周回罫線を介して備えられる周側シート部とを備えており、
前記周側シート部が前記底シート部から前記周回罫線で折り曲げ起立されて容器を構成するようにしてあると共に、
この周側シート部は、前記底シート部の各隅部の外側に、それぞれの隅部を通る第一の仮想線に沿って備えられる第一罫線と、該第一の仮想線との間に鋭角をつくる当該隅部を通る第二の仮想線に沿って備えられる第二罫線とで折り畳まれる三角状折り畳み片部を備えており、当該折り畳み片部間を側部シート部としてあり、
しかも、前記折り畳み片部は、前記第一罫線及び第二罫線間にあって、前記隅部を通る第三の仮想線に沿って備えられる第三罫線を有すると共に、
この折り畳み片部は、前記第一罫線と前記第三罫線との間にある片部部分と、当該片部部分に連続し、かつ、非切り抜き部を有する前記第三の仮想線からの切り抜き線で区分される突き出し延設片部分とで構成される第一片部と、当該第一片部を除く第二片部とを備えており、
前記周側シート部の起立に伴って、前記第一罫線から当該第一罫線に連設されている側部シート部の外周面に前記折り畳み片部を添わせるようにして、前記第一片部の少なくとも前記延設片部分を該側部シート部に接着させた態様と、
前記態様から前記切り抜き線の非切り抜き部を破断して該第二片部を前記第一片部に添装させるように前記第三罫線で屈曲可能に構成してあることを特徴とする容器。
【請求項２】
一枚のシートからなる容器であって、
底シート部と当該底シート部を囲繞するように周回罫線を介して備えられる周側シート部とを備えており、
前記周側シート部が前記底シート部から前記周回罫線で折り曲げ起立されて容器を構成するようにしてあると共に、
この周側シート部は、前記底シート部の各隅部の外側に、それぞれの隅部を通る第一の仮想線に沿って備えられる第一罫線と、該第一の仮想線との間に鋭角をつくる当該隅部を通る第二の仮想線に沿って備えられる第二罫線とで折り畳まれる三角状折り畳み片部を備えており、当該折り畳み片部間を側部シート部としてあり、
しかも、前記折り畳み片部は、前記第一罫線及び第二罫線間にあって、前記隅部を通る第三の仮想線に沿って備えられる第三罫線を有すると共に、
この折り畳み片部は、前記第一罫線と前記第三罫線との間にある片部部分と、当該片部部分に連続し、かつ、非切り抜き部を有する前記第三の仮想線からの切り抜き線で区分される突き出し延設片部分とで構成される第一片部と、当該第一片部を除く第二片部とを備えており、
前記周側シート部の起立に伴って、前記第一罫線から当該第一罫線に連設されている側部シート部の外周面に前記折り畳み片部を添わせるようにして、前記第一片部の少なくとも前記延設片部分を該側部シート部に接着させた態様と、
前記態様から前記切り抜き線の非切り抜き部を破断し、かつ、前記第二片部を前記第三罫線で前記第一片部に添装させるように屈曲させると共に、当該屈曲状態を維持し得る構成を備えていることを特徴とする容器。
【請求項３】
一枚のシートからなる容器であって、
底シート部と当該底シート部を囲繞するように周回罫線を介して備えられる周側シート部とを備えており、
前記周側シート部が前記底シート部から前記周回罫線で折り曲げ起立されて容器を構成するようにしてあると共に、
この周側シート部は、前記底シート部の各隅部の外側に、それぞれの隅部を通る第一の仮想線に沿って備えられる第一罫線と、該第一の仮想線との間に鋭角をつくる当該隅部を通る第二の仮想線に沿って備えられる第二罫線とで折り畳まれる三角状折り畳み片部を備えており、当該折り畳み片部間を側部シート部としてあり、
しかも、前記折り畳み片部は、前記第一罫線及び第二罫線間にあって、前記隅部を通る第三の仮想線に沿って備えられる第三罫線を有すると共に、
この折り畳み片部は、前記第一罫線と前記第三罫線との間にある片部部分と、当該片部部分に連続し、かつ、非切り抜き部を有する前記第三の仮想線からの切り抜き線で区分される突き出し延設片部分とで構成される第一片部と、当該第一片部を除く第二片部とを備えており、
前記周側シート部の起立に伴って、前記第一罫線から当該第一罫線に連設されている側部シート部の外周面に前記折り畳み片部を添わせるようにして、前記第一片部の少なくとも前記延設片部分を該側部シート部に接着させた態様と、
前記態様から前記切り抜き線の非切り抜き部を破断し、かつ、前記第二片部を前記第三罫線で前記第一片部に添装させるように屈曲させると共に、この屈曲状態に、前記周側シート部に設けてある掛合片を、前記第一罫線で屈曲されている前記側部シート部と前記第一片部間にある稜の外側から内側に超えさせて前記側部シート部の面に引っ掛かけて保持し得るようにしてあることを特徴とする容器。
【請求項４】
一枚のシートからなる容器であって、
底シート部と当該底シート部を囲繞するように周回罫線を介して備えられる周側シート部とを備えており、
前記周側シート部が前記底シート部から前記周回罫線で折り曲げ起立されて容器を構成するようにしてあると共に、
この周側シート部は、前記底シート部の各隅部の外側に、それぞれの隅部を通る第一の仮想線に沿って備えられる第一罫線と、該第一の仮想線との間に鋭角をつくる当該隅部を通る第二の仮想線に沿って備えられる第二罫線とで折り畳まれる三角状折り畳み片部を備えており、当該折り畳み片部間を側部シート部としてあり、
しかも、前記折り畳み片部は、前記第一罫線及び第二罫線間にあって、前記隅部を通る第三の仮想線に沿って備えられる第三罫線を有すると共に、
この折り畳み片部は、前記第一罫線と前記第三罫線との間にある片部部分と、当該片部部分に連続し、かつ、非切り抜き部を有する前記第三の仮想線からの切り抜き線で区分される突き出し延設片部分とで構成される第一片部と、当該第一片部を除く第二片部とを備えており、
前記周側シート部の起立に伴って、前記第一罫線から当該第一罫線に連設されている側部シート部の外周面に前記折り畳み片部を添わせるようにして、前記第一片部の少なくとも前記延設片部分を該側部シート部に接着させた態様と、
前記態様から前記切り抜き線の非切り抜き部を破断し、かつ、前記第二片部を前記第三罫線で前記第一片部に添装させるように屈曲させると共に、この屈曲状態に、前記第一罫線で屈曲されている前記側部シート部と前記第一片部間にある稜から突設してある掛合片を、当該稜に重ね合わされる他の周側シート部の側縁又はスリットの内側から当該周側シート部の外側の面に引っ掛かけて保持し得るようにしてあることを特徴とする容器。
【発明の詳細な説明】
【技術分野】
【０００１】
この発明は、一枚のシートによって構成される上面開口の容器、特に、開口縁部の形状を変更できる容器の提供に関する。
【背景技術】
【０００２】
一枚のシートを折り付け、接着等によって各種の目的に対応する各種の容器が提案されている。
【０００３】
例えば、紙材に熱融着可能な層を形成してなる方形シートを用いて、熱融着可能なガスバリヤー性に優れ、かつ、フランジ補強部を備えると共に、コーナー罫線部を折り曲げて四隅部を熱融着した食品容器が提案されている（例えば、特許文献１）。
【０００４】
しかしながら、収納物を適切に収納できる形態の容器とし、当該容器から食品等の収納物を取り出し用いる際に、当該収納物の取り出しを容易にし得るようにした容器は見あたらなかった。
【０００５】
【特許文献１】特開平１１−３１０２２０
【発明の開示】
【発明が解決しようとする課題】
【０００６】
しかしながら、収納物の収納に都合の良い容器形態が、即、当該収納容器内に収納されている収納物、例えば、食品等の摂取に都合の良い容器形態であることはなく、確実な収納状態を維持し得るように構成されている容器にあっては、当該容器内からの収納物の取り出しのための利便性が考慮されていなかった。
【０００７】
この結果、容器内に食品等の収納物を収納陳列したり、収納物を収納した容器の携帯等には都合が良いものの、当該容器から収納物、例えば、食品等を取り出し摂取するような場合には、容器の縁が邪魔になって、用い難い不具合があった。
【０００８】
また、容器の縁部分を、収納した食品等を食べ易いように前もって拡げて構成した場合、収納物の確実な収納に難があり、また、容器を横方向に陳列した際に、多くの陳列スペースを必要とする不具合があった。
【０００９】
この発明は、かかる従前における収納容器の不都合を解消し、収納物を収納して陳列したり、携帯するのに都合の良い形態の容器を、当該容器内における収納物を取り出す等に際して、容易に取り出し用い得るようにした容器を一枚のシートで構成するようにしたものである。
【課題を解決するための手段】
【００１０】
第一の発明は、前記課題を解決するために、
一枚のシートからなる容器であって、
底シート部と当該底シート部を囲繞するように周回罫線を介して備えられる周側シート部とを備えており、
前記周側シート部が前記底シート部から前記周回罫線で折り曲げ起立されて容器を構成するようにしてあると共に、
この周側シート部は、前記底シート部の各隅部の外側に、それぞれの隅部を通る第一の仮想線に沿って備えられる第一罫線と、該第一の仮想線との間に鋭角をつくる当該隅部を通る第二の仮想線に沿って備えられる第二罫線とで折り畳まれる三角状折り畳み片部を備えており、当該折り畳み片部間を側部シート部としてあり、
しかも、前記折り畳み片部は、前記第一罫線及び第二罫線間にあって、前記隅部を通る第三の仮想線に沿って備えられる第三罫線を有すると共に、
この折り畳み片部は、前記第一罫線と前記第三罫線との間にある片部部分と、当該片部部分に連続し、かつ、非切り抜き部を有する前記第三の仮想線からの切り抜き線で区分される突き出し延設片部分とで構成される第一片部と、当該第一片部を除く第二片部とを備えており、
前記周側シート部の起立に伴って、前記第一罫線から当該第一罫線に連設されている側部シート部の外周面に前記折り畳み片部を添わせるようにして、前記第一片部の少なくとも前記延設片部分を該側部シート部に接着させた態様と、
前記態様から前記切り抜き線の非切り抜き部を破断して該第二片部を前記第一片部に添装させるように前記第三罫線で屈曲可能に構成してあることを特徴とする容器としてある。
【００１１】
このように構成される容器にあっては、少なくとも前記延設片部分を前記側部シート部に接着させるように前記三角状折り畳み片部を前記側部シート部の外周面に添わせるようにして容器を構成してあり、当該三角状折り畳み片部は前記延設片部分が非切り抜き部で第二片部と一体とされていることから、起立される側部シート部に密着するように維持される。
【００１２】
この結果、容器内に食品等を収納した際にも、容器の開口部分は初期の形状を維持し、開口部分の開きだしや、変形等を生ずることがない。
【００１３】
このため、食品等の収納対象物の収納管理、陳列、携帯にもっとも都合のよい形状を備える容器として構成することができる。
【００１４】
また、この容器内に収納されている食品等の収納物を、適切かつ容易に取り出し得るように、前記切り抜き線の非切り抜き部を破断して前記第三罫線で該第二片部を前記第一片部に添装させる向きに屈曲することで、当該容器の開口部分を外側に開き出した状態にして用いることができる。
【００１５】
この結果、容器に収納する収納物を取り出し用いるのに都合のよい広がりを当該容器の開口部にもたらすことが可能とされ、例えば、収納物が当該容器から摂取する食品である場合では、箸やスプーン等を用いて当該容器から食品を摂取し易い開きだし状態に維持された容器として構成することができる。
【００１６】
また、かかる容器は、収納対象物に適合する曲げ強さを備える一枚のシートによって構成することができ、低廉に提供できると共に、使用後は展開した一枚のシートとして処分することができる。
【００１７】
第二の発明は、前記課題を解決するために、
一枚のシートからなる容器であって、
底シート部と当該底シート部を囲繞するように周回罫線を介して備えられる周側シート部とを備えており、
前記周側シート部が前記底シート部から前記周回罫線で折り曲げ起立されて容器を構成するようにしてあると共に、
この周側シート部は、前記底シート部の各隅部の外側に、それぞれの隅部を通る第一の仮想線に沿って備えられる第一罫線と、該第一の仮想線との間に鋭角をつくる当該隅部を通る第二の仮想線に沿って備えられる第二罫線とで折り畳まれる三角状折り畳み片部を備えており、当該折り畳み片部間を側部シート部としてあり、
しかも、前記折り畳み片部は、前記第一罫線及び第二罫線間にあって、前記隅部を通る第三の仮想線に沿って備えられる第三罫線を有すると共に、
この折り畳み片部は、前記第一罫線と前記第三罫線との間にある片部部分と、当該片部部分に連続し、かつ、非切り抜き部を有する前記第三の仮想線からの切り抜き線で区分される突き出し延設片部分とで構成される第一片部と、当該第一片部を除く第二片部とを備えており、
前記周側シート部の起立に伴って、前記第一罫線から当該第一罫線に連設されている側部シート部の外周面に前記折り畳み片部を添わせるようにして、前記第一片部の少なくとも前記延設片部分を該側部シート部に接着させた態様と、
前記態様から前記切り抜き線の非切り抜き部を破断し、かつ、前記第二片部を前記第三罫線で前記第一片部に添装させるように屈曲させると共に、当該屈曲状態を維持し得る構成を備えていることを特徴とする容器としてある。
【００１８】
このように構成される容器にあっては、少なくとも前記延設片部分を前記側部シート部に接着させるように前記三角状折り畳み片部を前記側部シート部の外周面に添わせるようにして容器を構成してあり、当該三角状折り畳み片部は前記延設片部分が非切り抜き部で第二片部と一体とされていることから、起立される側部シート部に密着するように維持される。
【００１９】
この結果、容器内に食品等を収納した際にも、容器の開口部分は初期の形状を維持し、開口部分の開きだしや、変形等を生ずることがない。
【００２０】
このため、食品等の収納対象物の収納管理、陳列、携帯にもっとも都合のよい形状を備える容器として構成することができる。
【００２１】
また、この容器内に収納されている食品等の収納物を、適切かつ容易に取り出し得るように、前記切り抜き線の非切り抜き部を破断して前記第三罫線で該第二片部を前記第一片部に添装させる向きに屈曲すると共に、当該屈曲状態を維持し得る構成を備えている容器としてあることから、当該容器の開口部分を所定の開き角で外側に開き出した状態にして用いることができる。
【００２２】
この結果、容器に収納した収納物を取り出し用いる際に、都合のよい広がりを当該容器の開口部にもたらすことが可能とされ、例えば、収納物が当該容器から摂取する食品である場合では、箸やスプーン等を用いて当該容器から食品を摂取し易い開きだし角度に維持された容器として構成することができる。
【００２３】
また、かかる容器は、収納対象物に適合する曲げ強さを備える一枚のシートによって構成することができ、低廉に提供できると共に、使用後は展開した一枚のシートとして処分することができる。
【００２４】
第三の発明は、前記課題を解決するために、
一枚のシートからなる容器であって、
底シート部と当該底シート部を囲繞するように周回罫線を介して備えられる周側シート部とを備えており、
前記周側シート部が前記底シート部から前記周回罫線で折り曲げ起立されて容器を構成するようにしてあると共に、
この周側シート部は、前記底シート部の各隅部の外側に、それぞれの隅部を通る第一の仮想線に沿って備えられる第一罫線と、該第一の仮想線との間に鋭角をつくる当該隅部を通る第二の仮想線に沿って備えられる第二罫線とで折り畳まれる三角状折り畳み片部を備えており、当該折り畳み片部間を側部シート部としてあり、
しかも、前記折り畳み片部は、前記第一罫線及び第二罫線間にあって、前記隅部を通る第三の仮想線に沿って備えられる第三罫線を有すると共に、
この折り畳み片部は、前記第一罫線と前記第三罫線との間にある片部部分と、当該片部部分に連続し、かつ、非切り抜き部を有する前記第三の仮想線からの切り抜き線で区分される突き出し延設片部分とで構成される第一片部と、当該第一片部を除く第二片部とを備えており、
前記周側シート部の起立に伴って、前記第一罫線から当該第一罫線に連設されている側部シート部の外周面に前記折り畳み片部を添わせるようにして、前記第一片部の少なくとも前記延設片部分を該側部シート部に接着させた態様と、
前記態様から前記切り抜き線の非切り抜き部を破断し、かつ、前記第二片部を前記第三罫線で前記第一片部に添装させるように屈曲させると共に、この屈曲状態に、前記周側シート部に設けてある掛合片を、前記第一罫線で屈曲されている前記側部シート部と前記第一片部間にある稜の外側から内側に超えさせて前記側部シート部の面に引っ掛かけて保持し得るようにしてあることを特徴とする容器としてある。
【００２５】
このように構成される容器にあっては、少なくとも前記延設片部分を前記側部シート部に接着させるように前記三角状折り畳み片部を前記側部シート部の外周面に添わせるようにして容器を構成してあり、当該三角状折り畳み片部は前記延設片部分が非切り抜き部で第二片部と一体とされていることから、起立される側部シート部に密着するように維持される。
【００２６】
この結果、容器内に食品等を収納した際にも、容器の開口部分は初期の形状を維持し、開口部分の開きだしや、変形等を生ずることがない。
【００２７】
このため、食品等の収納対象物の収納管理、陳列、携帯にもっとも都合のよい形状を備える容器として構成することができる。
【００２８】
また、この容器内に収納されている食品等の収納物を、適切かつ容易に取り出し得るように、前記切り抜き線の非切り抜き部を破断して前記第三罫線で該第二片部を前記第一片部に添装させる向きに屈曲すると共に、この屈曲状態に、前記周側シート部に設けてある掛合片を、前記第一罫線で屈曲されている前記側部シート部と前記第一片部間にある稜の外側から内側に超えさせて前記側部シート部の面に引っ掛かけて保持し得るようにしてあることから、当該容器の開口部分を所定の開き角で外側に開き出した状態にして用いることができる。
【００２９】
この結果、容器に収納した収納物を取り出し用いる際に、都合のよい広がりを当該容器の開口部にもたらすことが可能とされ、例えば、収納物が当該容器から摂取する食品である場合では、箸やスプーン等を用いて当該容器から食品を摂取し易い開きだし角度に維持された容器として構成することができる。
【００３０】
また、かかる容器は、収納対象物に適合する曲げ強さを備える一枚のシートによって構成することができ、低廉に提供できると共に、使用後は展開した一枚のシートとして処分することができる。
【００３１】
第四の発明は、前記課題を解決するために、
一枚のシートからなる容器であって、
底シート部と当該底シート部を囲繞するように周回罫線を介して備えられる周側シート部とを備えており、
前記周側シート部が前記底シート部から前記周回罫線で折り曲げ起立されて容器を構成するようにしてあると共に、
この周側シート部は、前記底シート部の各隅部の外側に、それぞれの隅部を通る第一の仮想線に沿って備えられる第一罫線と、該第一の仮想線との間に鋭角をつくる当該隅部を通る第二の仮想線に沿って備えられる第二罫線とで折り畳まれる三角状折り畳み片部を備えており、当該折り畳み片部間を側部シート部としてあり、
しかも、前記折り畳み片部は、前記第一罫線及び第二罫線間にあって、前記隅部を通る第三の仮想線に沿って備えられる第三罫線を有すると共に、
この折り畳み片部は、前記第一罫線と前記第三罫線との間にある片部部分と、当該片部部分に連続し、かつ、非切り抜き部を有する前記第三の仮想線からの切り抜き線で区分される突き出し延設片部分とで構成される第一片部と、当該第一片部を除く第二片部とを備えており、
前記周側シート部の起立に伴って、前記第一罫線から当該第一罫線に連設されている側部シート部の外周面に前記折り畳み片部を添わせるようにして、前記第一片部の少なくとも前記延設片部分を該側部シート部に接着させた態様と、
前記態様から前記切り抜き線の非切り抜き部を破断し、かつ、前記第二片部を前記第三罫線で前記第一片部に添装させるように屈曲させると共に、この屈曲状態に、前記第一罫線で屈曲されている前記側部シート部と前記第一片部間にある稜から突設してある掛合片を、当該稜に重ね合わされる他の周側シート部の側縁又はスリットの内側から当該周側シート部の外側の面に引っ掛かけて保持し得るようにしてあることを特徴とする容器としてある。
【００３２】
このように構成される容器にあっては、少なくとも前記延設片部分を前記側部シート部に接着させるように前記三角状折り畳み片部を前記側部シート部の外周面に添わせるようにして容器を構成してあり、当該三角状折り畳み片部は前記延設片部分が非切り抜き部で第二片部と一体とされていることから、起立される側部シート部に密着するように維持される。
【００３３】
この結果、容器内に食品等を収納した際にも、容器の開口部分は初期の形状を維持し、開口部分の開きだしや、変形等を生ずることがない。
【００３４】
このため、食品等の収納対象物の収納管理、陳列、携帯にもっとも都合のよい形状を備える容器として構成することができる。
【００３５】
また、この容器内に収納されている食品等の収納物を、適切かつ容易に取り出し得るように、前記切り抜き線の非切り抜き部を破断して前記第三罫線で該第二片部を前記第一片部に添装させる向きに屈曲すると共に、この屈曲状態に、前記第一罫線で屈曲されている前記側部シート部と前記第一片部間にある稜から突設してある掛合片を、当該稜に重ね合わされる他の周側シート部の側縁又はスリットの内側から当該周側シート部の外側の面に引っ掛かけて保持し得るようにしてあることから、当該容器の開口部分を所定の開き角で外側に開き出した状態にして用いることができる。
【００３６】
この結果、容器に収納した収納物を取り出し用いる際に、都合のよい広がりを当該容器の開口部にもたらすことが可能とされ、例えば、収納物が当該容器から摂取する食品である場合では、箸やスプーン等を用いて当該容器から食品を摂取し易い開きだし角度に維持された容器として構成することができる。
【００３７】
また、かかる容器は、収納対象物に適合する曲げ強さを備える一枚のシートによって構成することができ、低廉に提供できると共に、使用後は展開した一枚のシートとして処分することができる。
【発明の効果】
【００３８】
この発明に係る容器は、収納物を確実に収納して管理、陳列、携帯に都合の良い形態にして用い得ると共に、当該容器内に収納されている収納物を取り出すのに都合の良い形態にして容器収納物の取り出し使用をなし得る特長を備えている。
【発明を実施するための最良の形態】
【００３９】
以下、この発明を実施するための最良の形態に係る容器Ａについて具体的に説明する。
【００４０】
図１〜図３５は、この発明を実施するための最良の形態に係る典型的な容器Ａを、図３６〜図４７は、この発明を実施するための最良の形態に係る他の典型的な容器Ａを示している。
【００４１】
図１〜図１０は典型的な容器Ａであって、図１は、その展開状態を、図２は、当該展開図の要部を、図３及び図４は、当該容器Ａの一連の組み付け過程を斜め上方から見て、図５は、組み付け構成された容器Ａを、図６は、当該容器Ａの一部を破断した要部を斜め上方から見て示している。図７〜図９は、当該容器Ａの開口部分を拡げて用いる際の、各工程の要部を拡大して斜め上方から見て、図１０は、当該容器Ａの開口側を拡げた状態に維持構成して斜め上方から見て示している。
【００４２】
図１１〜図２０は他の典型的な容器Ａであって、図１１は、その展開状態を、図１２は、当該展開図の要部を、図１３及び図１４は、当該容器Ａの一連の組み付け過程を斜め上方から見て、図１５は、組み付け構成された容器Ａを、図１６は、当該容器Ａの一部を破断した要部を斜め上方から見て示している。図１７〜図１９は、当該容器Ａの開口部分を拡げて用いる際の、各工程の要部を拡大して斜め上方から見て、図２０は、当該容器Ａの開口側を拡げた状態に維持構成して斜め上方から見て示している。
【００４３】
図２１〜図２５は、更に他の典型的な容器Ａであって、図２１は、その展開状態を、図２２は、当該展開図の要部を、図２３〜図２５は、当該容器Ａの開口部分を拡げて用いる際の各工程の要部を拡大して斜め上方から見て示している。
【００４４】
図２６〜図３０は、更に他の典型的な容器Ａであって、図２６は、その展開状態を、図２７は、当該展開図の要部を、図２８〜図３０は、当該容器Ａの開口部分を拡げて用いる際の各工程の要部を拡大して斜め上方から見て示している。
【００４５】
図３１〜図３５は、更に他の典型的な容器Ａであって、図３１は、その展開状態を、図３２は、当該展開図の要部を、図３３〜図３５は、当該容器Ａの開口部分を拡げて用いる際の各工程の要部を拡大して斜め上方から見て示している。
【００４６】
図３６〜図４５は、更に、他の典型的な容器Ａであって、図３６は、その展開状態を、図３７は、当該展開図の要部を、図３８及び図３９は、当該容器Ａの一連の組み付け過程を斜め上方から見て、図４０は、組み付け構成された容器Ａを、図４１は、当該容器Ａの一部を破断した要部を斜め上方から見て示している。図４２〜図４４は、当該容器Ａの開口部分を拡げて用いる際の、各工程の要部を拡大して斜め上方から見て、図４５は、当該容器Ａの開口側を拡げた状態に維持構成して斜め上方から見て示している。
【００４７】
図４６及び図４７は、更に他の典型的な容器Ａであって、図４６は、その展開状態を、図４７は、当該展開図の要部を示している。
【００４８】
まず、第一の発明を実施するための最良の形態に係る容器Ａについて具体的に説明する。
【００４９】
この発明を実施するための最良の形態に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで区分される三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている側部シート部２１ａの外周面に前記折り畳み片部２２を添わせるようにして、前記第一片部２２ａの少なくとも前記延設片部分２２ａ”を該側部シート部２１ａに接着させた態様と、
前記態様から前記切り抜き線Ｋの非切り抜き部ｋを破断して該第二片部２２ｂを前記第一片部２２ａに添装させるように前記第三罫線Ｎで屈曲可能に構成してある。
【００５０】
かかる容器Ａは、いわゆる上面開口の容器であれば、いかなる形態の容器をも構成できるものであって、例えば、平面視で三角形状、四角形状、五角形状等の多角形状の容器を構成することができる。また底シート部１０と周側シート部２０間に備えられる罫線Ｇの全部又は一部を直線以外の罫線、例えば、外向き又は内向きに湾曲した罫線として構成することもできる。また、各側部シート部２１、２１間に備えられる三角状折り畳み片部２２の面積や、第一片部２２ａ、第二片部２２ｂの面積を変更したり、第一罫線Ｍ、第二罫線Ｐ、第三罫線Ｎ相互がなす角度を変更するなどによって、各種形状の容器を構成することができる。また、底シート部１０と周側シート部２０の備える面積比を変えることによって各種の目的に対応した形態の容器を構成することができる。
【００５１】
この周回罫線Ｇ等を介して底シート部１０及び周側シート部２０等を備えて構成される容器Ａは、一枚のシートによって構成してあり、当該シートは、構成される容器の目的、すなわち、当該容器に収納すべき対象物に都合の良い曲げ強さを備える一枚のシート、例えば、耐水性をもたらす塗装膜を備える板紙、プラスチックフィルムのラミネートされている板紙、金属箔の積層されている板紙、合成樹脂の含浸されている板紙、プラスチックシート、合成紙、金属シート等の一葉からなるシートや、板紙、プラスチックシート、合成紙、金属シート等の同種又は異種類の複数葉のシートの積層シート、各種素材で構成される複合紙等の単層又は多層体からなるシート等、いかなる素材からなるシートで構成してあっても、いかなる構成からなるシートで構成してあってもよい。
【００５２】
かかる一枚のシートに、折り曲げ用の罫線Ｇ、Ｍ、Ｎ、Ｐや、第一片部２２ａの延設片部分２２ａ”を構成する非切り抜き部ｋを備える切り抜き線Ｋ、Ｋ’等を設けておき、当該一枚のシートの折り付けよって底シート部１０から周側シート部２０を起立させると共に、前記第一罫線Ｍを内側に、かつ、第二罫線Ｐを外側に位置づけるように三角状折り畳み片部２２を、少なくとも延設片部分２２ａ”を側部シート部２１ａの側面に接着して当該三角状折り畳み片部２２を側部シート部２１ａの外周面に沿わせ得るようにしてあり、この三角状折り畳み片部２２を側面シート部２１ａに近接した状態に維持させて、いわゆる収納容器Ａとして用い得るようにしてあれば、いかなる形状に構成してあってもよい。
また、かかる状態にある容器Ａにあって、前記延設片部分２２ａ”の切り抜き線Ｋにある非切り抜き部ｋを破断するように当該容器Ａに外力を付加して周側シート部２０に接着されている第一片部２２ａを残して、前記第三罫線Ｎで該第二片部２２ｂを前記第一片部２２ａに添装させる向きに屈曲させることで、当該容器Ａの開口を所定開き状態にして用い得るように構成してあれば、いかなる形状に構成してあってもよい。
【００５３】
このように構成される容器Ａでは、少なくとも前記延設片部分２２ａ”を前記側部シート部２１ａに接着させるように前記三角状折り畳み片部２２を前記側部シート部２１ａの外周面に添わせるようにして容器Ａを構成してあり、当該三角状折り畳み片部２２は前記延設片部分２２ａ”が非切り抜き部ｋで第二片部２２ｂと一体とされていることから、起立される側部シート部２１ａに密着するように維持される。
【００５４】
この結果、容器Ａ内に食品等を収納した際にも、容器Ａの開口部分は初期の開き角形状を維持し、開口部分の開きだしや、変形等を生ずることがない。
【００５５】
このため、食品等の収納対象物の収納管理、陳列、携帯にもっとも都合のよい形状を備える容器Ａとして構成することができる。
【００５６】
また、この容器Ａ内に収納されている食品等の収納物を、適切かつ容易に取り出し得るように、前記切り抜き線Ｋの非切り抜き部ｋを破断して前記第三罫線Ｎで該第二片部２２ｂを前記第一片部２２ａに添装させる向きに屈曲させることによって容器開口部を所定の開き状態にして用いることができる。
【００５７】
この結果、容器Ａに収納する収納物を取り出し用いるのに都合のよい広がりを当該容器Ａの開口部にもたらすことが可能とされ、例えば、収納物が当該容器Ａから摂取する食品である場合では、箸やスプーン等を用いて当該容器Ａから食品を摂取し易い開きだし状態にして用いることができる。
【００５８】
また、かかる容器Ａは、収納対象物に適合する曲げ強さを備える一枚のシートによって構成することができ、低廉に提供できると共に、使用後は展開した一枚のシートとして処分することができる。
【００５９】
ついで、第二の発明を実施するための最良の形態に係る容器Ａについて具体的に説明する。
【００６０】
この発明を実施するための最良の形態に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで区分される三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている側部シート部２１ａの外周面に前記折り畳み片部２２を添わせるようにして、前記第一片部２２ａの少なくとも前記延設片部分２２ａ”を該側部シート部２１ａに接着させた態様と、
前記態様から前記切り抜き線Ｋの非切り抜き部ｋを破断し、かつ、前記第二片部２２ｂを前記第三罫線Ｎで前記第一片部２２ａに添装させるように屈曲させると共に、当該屈曲状態を維持し得る構成を備えた容器Ａとしてある。
【００６１】
かかる容器Ａは、いわゆる上面開口の容器であれば、いかなる形態の容器をも構成できるものであって、例えば、平面視で三角形状、四角形状、五角形状等の多角形状の容器を構成することができる。また底シート部１０と周側シート部２０間に備えられる罫線Ｇの全部又は一部を直線以外の罫線、例えば、外向き又は内向きに湾曲した罫線として構成することもできる。また、各側部シート部２１、２１間に備えられる三角状折り畳み片部２２の面積や、第一片部２２ａ、第二片部２２ｂの面積を変更したり、第一罫線Ｍ、第二罫線Ｐ、第三罫線Ｎ相互がなす角度を変更するなどによって、各種形状の容器を構成することができる。また、底シート部１０と周側シート部２０の備える面積比を変えることによって各種の目的に対応した形態の容器を構成することができる。
【００６２】
この周回罫線Ｇ等を介して底シート部１０及び周側シート部２０等を備えて構成される容器Ａは、一枚のシートによって構成してあり、当該シートは、構成される容器の目的、すなわち、当該容器に収納すべき対象物に都合の良い曲げ強さを備える一枚のシート、例えば、耐水性をもたらす塗装膜を備える板紙、プラスチックフィルムのラミネートされている板紙、金属箔の積層されている板紙、合成樹脂の含浸されている板紙、プラスチックシート、合成紙、金属シート等の一葉からなるシートや、板紙、プラスチックシート、合成紙、金属シート等の同種又は異種類の複数葉のシートの積層シート、各種素材で構成される複合紙等の単層又は多層体からなるシート等、いかなる素材によって構成してあっても、いかなる構成からなるシートで構成してあってもよい。
【００６３】
かかる一枚のシートに、折り曲げ用の罫線Ｇ、Ｍ、Ｎ、Ｐや、第一片部２２ａの延設片部分２２ａ”を構成する非切り抜き部ｋを備える切り抜き線Ｋ、Ｋ’を設けておき、当該一枚のシートの折り付けよって底シート部１０から周側シート部２０を起立させると共に、前記第一罫線Ｍを内側に、かつ、第二罫線Ｐを外側に位置づけるように三角状折り畳み片部２２を、少なくとも延設片部分２２ａ”を側部シート部２１ａの側面に接着して当該三角状折り畳み片部２２を側部シート部２１ａの外周面に沿わせ得るようにしてあり、この三角状折り畳み片部２２を側面シート部２１ａに近接した状態に維持させて、いわゆる収納容器Ａとして用い得るようにしてあれば、いかなる形状に構成してあってもよい。
また、かかる状態にある容器Ａにあって、前記延設片部分２２ａ”の切り抜き線Ｋにある非切り抜き部ｋを破断するように当該容器Ａに外力を付加して周側シート部２０に接着されている三角状折り畳み片部２２を残して、前記第三罫線Ｎで該第二片部２２ｂを前記第一片部２２ａに添装させる向きに屈曲させると共に、当該屈曲状態を維持し得る構成を備えた容器Ａとして構成してある。
【００６４】
このように構成される容器Ａでは、少なくとも前記延設片部分２２ａ”を前記側部シート部２１ａに接着させるように前記三角状折り畳み片部２２を前記側部シート部２１ａの外周面に添わせるようにして容器Ａを構成してあり、当該三角状折り畳み片部２２は前記延設片部分２２ａ”が非切り抜き部ｋで第二片部２２ｂと一体とされていることから、起立される側部シート部２１ａに密着するように維持される。
【００６５】
この結果、容器Ａ内に食品等を収納した際にも、容器Ａの開口部分は初期の開き角形状を維持し、開口部分の開きだしや、変形等を生ずることがない。
【００６６】
このため、食品等の収納対象物の収納管理、陳列、携帯にもっとも都合のよい形状を備える容器Ａとして構成することができる。
【００６７】
また、この容器Ａ内に収納されている食品等の収納物を、適切かつ容易に取り出し得るように、前記切り抜き線Ｋの非切り抜き部ｋを破断して前記第三罫線Ｎで該第二片部２２ｂを前記第一片部２２ａに添装させる向きに屈曲させると共に、当該屈曲状態を維持し得る構成を備えた容器Ａとすることで、当該容器Ａの開口部を外向きに所定の開き角度にして用い得ることができ、容器Ａ内の収納物を、もっとも、取り出し易い状態で取り出し用いることができる。
【００６８】
この結果、容器Ａに収納する収納物を取り出し用いるのに都合のよい広がりを当該容器Ａの開口部にもたらすことが可能とされ、例えば、収納物が当該容器Ａから摂取する食品である場合では、箸やスプーン等を用いて当該容器Ａから食品を摂取し易い開きだし角度に維持された容器Ａとして構成、維持することができる。
【００６９】
また、かかる容器Ａは、収納対象物に適合する曲げ強さを備える一枚のシートによって構成することができ、低廉に提供できると共に、使用後は展開した一枚のシートとして処分することができる。
【００７０】
ついで、第三の発明を実施するための最良の形態に係る容器Ａについて具体的に説明する。
【００７１】
この発明を実施するための最良の形態に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで区分される三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている側部シート部２１ａの外周面に前記折り畳み片部２２を添わせるようにして、前記第一片部２２ａの少なくとも前記延設片部分２２ａ”を該側部シート部２１ａに接着させた態様と、
前記態様から前記切り抜き線Ｋの非切り抜き部ｋを破断し、かつ、前記第二片部２２ｂを前記第三罫線Ｎで前記第一片部２２ａに添装させるように屈曲させると共に、この屈曲状態に、前記周側シート部２０に設けてある掛合片２３を、前記第一罫線Ｍで屈曲されている前記側部シート部２１ａと前記第一片部２２ａ間にある稜Ｌの外側から内側に超えさせて前記側部シート部２１ａの面に引っ掛かけて保持し得るように構成してある。
【００７２】
かかる容器Ａは、いわゆる上面開口の容器であれば、いかなる形態の容器をも構成できるものであって、例えば、平面視で三角形状、四角形状、五角形状等の多角形状の容器を構成することができる。また底シート部１０と周側シート部２０間に備えられる罫線の全部又は一部を直線以外の罫線、例えば、外向き又は内向きに湾曲した罫線として構成することもできる。また、各側部シート部２１、２１間に備えられる三角状折り畳み片部２２の面積や、第一片部２２ａ、第二片部２２ｂの面積を変更したり、第一罫線Ｍ、第二罫線Ｐ、第三罫線Ｎ相互がなす角度を変更するなどによって、各種形状の容器を構成することができる。また、底シート部１０と周側シート部２０の備える面積比を変えることによって各種の目的に対応した形態の容器を構成することができる。
【００７３】
この周回罫線Ｇ等を介して底シート部１０及び周側シート部２０等を備えて構成される容器Ａは、一枚のシートによって構成してあり、当該シートは、構成される容器の目的、すなわち、当該容器に収納すべき対象物に都合の良い曲げ強さを備える一枚のシート、例えば、耐水性をもたらす塗装膜を備える板紙、プラスチックフィルムのラミネートされている板紙、金属箔の積層されている板紙、合成樹脂の含浸されている板紙、プラスチックシート、合成紙、金属シート等の一葉からなるシートや、板紙、プラスチックシート、合成紙、金属シート等の同種又は異種類の複数葉のシートの積層シート、各種素材で構成される複合紙等の単層又は多層体からなるシート等、いかなる素材で構成してあっても、いかなる構成からなるシートで構成してあってもよい。
【００７４】
かかる一枚のシートに、折り曲げ用の罫線Ｇ、Ｍ、Ｎ、Ｐや、第一片部２２ａの延設片部分２２ａ”を構成する非切り抜き部ｋを備える切り抜き線Ｋ、Ｋ’を設けておき、当該一枚のシートの折り付けよって底シート部１０から周側シート部２０を起立させると共に、前記第一罫線Ｍを内側に、かつ、第二罫線Ｐを外側に位置づけるように三角状折り畳み片部２２を、少なくとも延設片部分２２ａ”を側部シート部２１ａの外周側面に接着して当該三角状折り畳み片部２２を側部シート部２１ａの外周面に沿わせ得るようにしてあり、この三角状折り畳み片部２２を側面シート部２１ａに近接した状態に維持させて、いわゆる収納容器として用い得るようにしてあれば、いかなる形状に構成してあってもよい。
また、かかる状態にある容器Ａにあって、前記延設片部分２２ａ”の切り抜き線Ｋにある非切り抜き部ｋを破断するように当該容器Ａに外力を付加して周側シート部２０に接着されている三角状折り畳み片部２２を残して、前記第三罫線Ｎで該第二片部２２ｂを前記第一片部２２ａに添装させる向きに屈曲させると共に、この屈曲状態に、前記周側シート部２０に設けてある掛合片２３を、前記第一罫線Ｍで屈曲されている前記側部シート部２１ａと前記第一片部２２ａ間にある稜Ｌの外側から内側に超えさせて前記側部シート部２１ａの面に引っ掛かけて保持し得るように構成してあれば、いかなる形状に構成してあってもよい。
【００７５】
このように構成される容器Ａでは、少なくとも前記延設片部分２２ａ”を前記側部シート部２１ａに接着させるように前記三角状折り畳み片部２２を前記側部シート部２１ａの外周面に添わせるようにして容器Ａを構成してあり、当該三角状折り畳み片部２２は前記延設片部分２２ａ”が非切り抜き部ｋで第二片部２２ｂと一体とされていることから、起立される側部シート部２１ａに密着するように維持される。
【００７６】
この結果、容器Ａ内に食品等を収納した際にも、容器Ａの開口部分は初期の開き角形状を維持し、開口部分の開きだしや、変形等を生ずることがない。
【００７７】
このため、食品等の収納対象物の収納管理、陳列、携帯にもっとも都合のよい形状を備える容器Ａとして構成することができる。
【００７８】
また、この容器Ａ内に収納されている食品等の収納物を、適切かつ容易に取り出し得るように、前記切り抜き線Ｋの非切り抜き部ｋを破断して前記第三罫線Ｎで該第二片部２２ｂを前記第一片部２２ａに添装させる向きに屈曲させると共に、この屈曲状態に、前記周側シート部２０に設けてある掛合片２３を、前記第一罫線Ｍで屈曲されている前記側部シート部２１ａと前記第一片部２２ａ間にある稜Ｌの外側から内側に超えさせて前記側部シート部２１ａの面に引っ掛かけて保持して、当該容器Ａの開口部を外向きに所定の開き角度にして用い得ることができ、容器Ａ内の収納物を、もっとも、取り出し易い状態で取り出し用いることができる。
【００７９】
この結果、容器Ａに収納する収納物を取り出し用いるのに都合のよい広がりを当該容器Ａの開口部にもたらすことが可能とされ、例えば、収納物が当該容器Ａから摂取する食品である場合では、箸やスプーン等を用いて当該容器Ａから食品を摂取し易い開きだし角度に維持された容器Ａとして構成、維持することができる。
【００８０】
また、かかる容器Ａは、収納対象物に適合する曲げ強さを備える一枚のシートによって構成することができ、低廉に提供できると共に、使用後は展開した一枚のシートとして処分することができる。
【００８１】
ついで、第四の発明を実施するための最良の形態に係る容器Ａについて具体的に説明する。
【００８２】
この発明を実施するための最良の形態に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで区分される三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている側部シート部２１ａの外周面に前記折り畳み片部２２を添わせるようにして、前記第一片部２２ａの少なくとも前記延設片部分２２ａ”を該側部シート部２１ａに接着させた態様と、
前記態様から前記切り抜き線Ｋの非切り抜き部ｋを破断し、かつ、前記第二片部２２ｂを前記第三罫線Ｎで前記第一片部２２ａに添装させるように屈曲させると共に、この屈曲状態に、前記第一罫線Ｍで屈曲されている前記側部シート部２１ａと前記第一片部２２ａ間にある稜Ｌから突設してある掛合片２３’を、当該稜Ｌに重ね合わされる他の周側シート部２０の側縁Ｔ又はスリットの内側から当該周側シート部２０の外側の面に引っ掛かけて保持し得るように構成してある。
【００８３】
かかる容器Ａは、いわゆる上面開口の容器であれば、いかなる形態の容器をも構成できるものであって、例えば、平面視で三角形状、四角形状、五角形状等の多角形状の容器を構成することができる。また底シート部１０と周側シート部２０間に備えられる罫線の全部又は一部を直線以外の罫線、例えば、外向き又は内向きに湾曲した罫線として構成することもできる。また、各側部シート部２１、２１間に備えられる三角状折り畳み片部２２の面積や、第一片部２２ａ、第二片部２２ｂの面積を変更したり、第一罫線Ｍ、第二罫線Ｐ、第三罫線Ｎ相互がなす角度を変更するなどによって、各種形状の容器を構成することができる。また、底シート部１０と周側シート部２０の備える面積比を変えることによって各種の目的に対応した形態の容器を構成することができる。
【００８４】
この周回罫線Ｇを介して底シート部１０及び周側シート部２０等を備えて構成される容器は、一枚のシートによって構成してあり、当該シートは、構成される容器の目的、すなわち、当該容器に収納すべき対象物に都合の良い曲げ強さを備える一枚のシート、例えば、耐水性をもたらす塗装膜を備える板紙、プラスチックフィルムのラミネートされている板紙、金属箔の積層されている板紙、合成樹脂の含浸されている板紙、プラスチックシート、合成紙、金属シート等の一葉からなるシートや、板紙、プラスチックシート、合成紙、金属シート等の同種又は異種類の複数葉のシートの積層シート、各種素材で構成される複合紙等の単層又は多層体からなるシート等、いかなる素材によって構成してあっても、いかなる構成からなるシートで構成してあってもよい。
【００８５】
かかる一枚のシートに、折り曲げ用の罫線Ｇ、Ｍ、Ｎ、Ｐや、第一片部２２ａの延設片部分２２ａ”を構成する非切り抜き部ｋを備える切り抜き線Ｋ、Ｋ’を設けておき、当該一枚のシートの折り付けよって底シート部１０から周側シート部２０を起立させると共に、前記第一罫線Ｍを内側に、かつ、第二罫線Ｐを外側に位置づけるように三角状折り畳み片部２２を、少なくとも延設片部分２２ａ”を側部シート部２１ａの側面に接着して当該三角状折り畳み片部２２を側部シート部２１ａの外周面に沿わせ得るようにしてあり、この三角状折り畳み片部２２を側面シート部２１ａに近接した状態に維持させて、いわゆる収納容器として用い得るようにしてあれば、いかなる形状に構成してあってもよい。
また、かかる状態にある容器Ａにあって、前記延設片部分２２ａ”の切り抜き線Ｋにある非切り抜き部ｋを破断するように当該容器Ａに外力を付加して周側シート部２０に接着されている三角状折り畳み片部２２を残して、前記第三罫線Ｎで該第二片部２２ｂを前記第一片部２２ａに添装させる向きに屈曲させると共に、この屈曲状態に、前記第一罫線Ｍで屈曲されている前記側部シート部２１ａと前記第一片部２２ａ間にある稜Ｌから突設してある掛合片２３’を、当該稜Ｌに重ね合わされる他の周側シート部２０の側縁Ｔ又はスリットの内側から当該周側シート部２０の外側の面に引っ掛かけて保持し得るように構成してあれば、いかなる形状に構成してあってもよい。
【００８６】
このように構成される容器Ａでは、少なくとも前記延設片部分２２ａ”を前記側部シート部２１ａに接着させるように前記三角状折り畳み片部２２を前記側部シート部２１ａの外周面に添わせるようにして容器Ａを構成してあり、当該三角状折り畳み片部２２は前記延設片部分２２ａ”が非切り抜き部ｋで第二片部２２ｂと一体とされていることから、起立される側部シート部２１ａに密着するように維持される。
【００８７】
この結果、容器Ａ内に食品等を収納した際にも、容器Ａの開口部分は初期の開き角形状を維持し、開口部分の開きだしや、変形等を生ずることがない。
【００８８】
このため、食品等の収納対象物の収納管理、陳列、携帯にもっとも都合のよい形状を備える容器Ａとして構成することができる。
【００８９】
また、この容器Ａ内に収納されている食品等の収納物を、適切かつ容易に取り出し得るように、前記切り抜き線Ｋの非切り抜き部ｋを破断して前記第三罫線Ｎで該第二片部２２ｂを前記第一片部２２ａに添装させる向きに屈曲させると共に、この屈曲状態に、前記第一罫線Ｍで屈曲されている前記側部シート部２１ａと前記第一片部２２ａ間にある稜Ｌから突設してある掛合片２３’を、当該稜Ｌに重ね合わされる他の周側シート部２０の側縁Ｔ又はスリットの内側から当該周側シート部２０の外側の面に引っ掛かけて保持して、当該容器Ａの開口部を外向きに所定の開き角度にして用い得ることができ、容器Ａ内の収納物を、もっとも、取り出し易い状態で取り出し用いることができる。
【００９０】
この結果、容器Ａに収納する収納物を取り出し用いるのに都合のよい広がりを当該容器Ａの開口部にもたらすことが可能とされ、例えば、収納物が当該容器Ａから摂取する食品である場合では、箸やスプーン等を用いて当該容器Ａから食品を摂取し易い開きだし角度に維持された容器Ａとして構成、維持することができる。
【００９１】
また、かかる容器Ａは、収納対象物に適合する曲げ強さを備える一枚のシートによって構成することができ、低廉に提供できると共に、使用後は展開した一枚のシートとして処分することができる。
【００９２】
（１）図１〜図１０に示される典型的な容器Ａについて具体的に説明する。
【００９３】
この、図示例に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで折り畳まれる三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている側部シート部２１ａの外周面に前記折り畳み片部２２を添わせるようにして、前記第一片部２２ａの少なくとも前記延設片部分２２ａ”を該側部シート部２１ａに接着させた態様と、
前記態様から前記切り抜き線Ｋの非切り抜き部ｋを破断して該第二片部２２ｂを前記第一片部２２ａに添装させるように前記第三罫線Ｎで屈曲可能に構成してある。
【００９４】
すなわち、当該図示例に係る容器Ａは、周側シート部２０を起立させながら折り畳み片部２２の前記第一片部２２ａの少なくとも延設片部分２２ａ”を第一罫線Ｍに連続されている側部シート部２１ａに接着して構成してあると共に、当該容器Ａに適宜外力を加えることで、延設片部分２２ａ”を側部シート部２１ａに接着した状態で、前記切り抜き線Ｋの非切り抜き部ｋを破断して、該第二片部２２ｂを前記第一片部２２ａに添装させるように前記第三罫線Ｎで屈曲可能に構成してあり、随時、必要に応じて、前記非切り抜き部ｋを破断して用い得る構成の容器Ａ（以下、単に、第一態様の容器Ａと称する。）としてある。
【００９５】
また、この図示例に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで折り畳まれる三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記それぞれの第一罫線Ｍから当該第一罫線Ｍに連設されている側部シート部２１ａの外周面に前記折り畳み片部２２をそれぞれ添わせるようにして、前記第一片部２２ａの少なくとも前記延設片部分２２ａ”を該側部シート部２１ａに接着させた態様と、
前記態様から前記それぞれの切り抜き線Ｋの非切り抜き部ｋを破断し、かつ、前記それぞれの第二片部２２ｂを前記第三罫線Ｎで前記第一片部２２ａに添装させるように屈曲させると共に、当該屈曲状態を維持し得る構成を備えた構成としてある。
【００９６】
すなわち、この容器Ａは、前記第一態様にある容器Ａにおける切り抜き線Ｋの非切り抜き部ｋを破断し、しかも、前記第二片部２２ｂを前記第三罫線Ｎで前記第一片部２２ａに添装させるように屈曲させると共に、当該屈曲状態を維持させた構成の容器Ａ（以下、単に、第二態様の容器Ａと称する。）としてある。
【００９７】
さらに、この図示例に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで折り畳まれる三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている側部シート部２１ａの外周面に前記折り畳み片部２２を添わせるようにして、前記第一片部２２ａの少なくとも前記延設片部分２２ａ”を該側部シート部２１ａに接着させた態様と、
前記態様から前記切り抜き線Ｋの非切り抜き部ｋを破断し、かつ、前記第二片部２２ｂを前記第三罫線Ｎで前記第一片部２２ａに添装させるように屈曲させると共に、この屈曲状態に、前記周側シート部２０に設けてある掛合片２３を、前記第一罫線Ｍで屈曲されている前記側部シート部２１ａと前記第一片部２２ａ間にある稜Ｌの外側から内側に超えさせて前記側部シート部２１ａの面に引っ掛かけて保持し得るように構成してある。
【００９８】
この図示例に係る容器Ａは、前記第一態様にある容器Ａ’を前記第二態様の容器Ａ”として構成するために、前記切り抜き線Ｋの非切り抜き部ｋを破断し、かつ、前記第二片部２２ｂを前記第三罫線Ｎで前記第一片部２２ａに添装させるように屈曲させると共に、この屈曲状態に、前記周側シート部２０に設けてある掛合片２３を、前記第一罫線Ｍで屈曲されている前記側部シート部２１ａと前記第一片部２２ａ間にある稜Ｌの外側から内側に超えさせて前記側部シート部２１ａの面に引っ掛かけることによって、当該第二態様の容器を構成してある。
【００９９】
かかる図示例に係る容器Ａを、さらに、具体的に説明する。
【０１００】
この図示例に係る容器Ａは、打ち抜かれ、かつ、必要な罫線、打ち抜き線等を備える一枚のシートによって構成してある。
【０１０１】
まず、容器Ａを構成するシートは、当該容器Ａの、それぞれの使用目的に適合する曲げ強さ、耐水性、防水性、耐薬品性や、食品衛生上要請される各種の特性等を備える各種の素材によって構成、用意される。
【０１０２】
かかる容器Ａを構成するシートは、例えば、容器Ａの内側になる面に耐熱性、耐水性、耐薬品性に優れる合成樹脂材をコーテング又はラミネートした所要厚さの板紙等を、対象容器Ａが確実に形態を保持できるに必要な曲げ強さを備えたシート等として用意される。
【０１０３】
また、当該容器Ａの典型例として、例えば、調理済み食品のテイクアウト容器、例えば、惣菜容器がある。かかる調理済み食品のテイクアウト容器を構成するシートは、盛り込まれる調理食品や電子レンジによる加熱処理等のテイクアウト容器に要請される各種の特性、例えば、耐水性、耐熱性、耐調理性、盛り込まれる調理食品等の保形性、持ち帰りの携帯性、摂食の容易性等の要請される各種特性を備え、かつ、食品容器としての保形性の約束される曲げ強さを備える各種シートで構成される。
【０１０４】
この図示例に係る容器Ａを構成するシートは、ほぼ矩形をなす底シート部１０と、この底シート部１０を囲繞する周側シート部２０とを備えた構成としてあり、この四辺形をなす底シート部１０と前記周側シート部２０とは、周回罫線Ｇで折り曲げ可能に連設してあり、当該底シート部１０を囲繞するように当該周側シート部２０を起立させることで、上面開口の容器Ａを構成するようにしてある。
【０１０５】
この図示例の周側シート部２０は、平面視で、ほぼ矩形をなす前記底シート部１０を囲繞するように、ほぼ等幅の連続したものとして当該底シート部１０に周回罫線Ｇを介して一連に設けてあり、底シート部１０から起立される当該周側シート部２０の上端縁２０’が、ほぼ面一の状態に揃うように考慮してある。
【０１０６】
かかる容器Ａを構成する矩形の底シート部１０の各隅部ｈ〜ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで折り畳まれる三角状折り畳み片部２２を設けると共に、当該各隅部ｈにある当該折り畳み片部２２、２２間を側部シート部２１として構成してある。
【０１０７】
かかる周側シート部２０は、前記底シート部１０を囲繞する周回罫線Ｇの一対の罫線Ｇｂ、Ｇｂに連続し、かつ、当該罫線Ｇｂ、Ｇｂよりも先端側で先広がりとなる各第一罫線Ｍ、Ｍ間に備えられる側部シート部２１ａ、２１ａ（以下、この側部シート部２１ａを、側部シート部２１ｂと識別し易いように第一側部シート部２１’と称する。）と、当該第一罫線Ｍとの間で折り畳み片部２２を構成する前記隅部ｈを通る第二の仮想線ｐに沿って備えられる第二罫線Ｐ、Ｐ間にある側部シート部２１ｂ、２１ｂ（以下、この側部シート部２１ｂを、側部シート部２１ａと識別し易いように第二側部シート部２１”と称する。）とを備えており、この第一側部シート部２１’及び第二側部シート部２１”間にあって、前記第一罫線Ｍ及び第二罫線Ｐで折り畳み可能とされる折り畳み片部２２〜２２を備えて構成してある。
【０１０８】
なお、この図示例にあっては、前記第二罫線Ｐに連続して備えられている第二側部シート部２１”を、当該第二罫線Ｐと隅部ｈを通る第四罫線Ｒ間に構成される三角状の重ね合わせ片部２１ｂ”、２１ｂ”と、当該重ね合わせ片部２１ｂ”、２１ｂ”間に備えられる僅かに上端縁の幅広な倒台形状をなす側部シート本体部２１ｂ’で構成してある。
【０１０９】
この重ね合わせ片部２１ｂ”と側部シート本体部２１ｂ’とは、前記罫線Ｇｂと直交した向きにある罫線Ｇａ、Ｇａの延長線上にあって、先端側で僅かにひろがっている一対の第四罫線Ｒ、Ｒ間に備えられる倒台形状の側部シート本体部２１ｂ’と、この側部シート本体部２１ｂ’の側方に、前記隅部ｈを通る当該第四罫線Ｒと前記第二罫線Ｐとの間に備えられる三角状の重ね合わせ片部２１ｂ”としてあって、前記第一罫線Ｍで折り畳み片部２２を当該第一罫線Ｍに連続している第一側部シート部２１’の外周側の面に添装する際に、この重ね合わせ片部２１ｂ”が第二罫線Ｐで屈曲されながら当該折り畳み片部２２に追随して、この第一側部シート部２１’に添装される折り畳み片部２２を外側から覆うように機能する。
【０１１０】
かかる折り畳み片部２２は、前記第一罫線Ｍ及び第二罫線Ｐで折り畳み得るものであれば、第一の仮想線ｍ及び第二の仮想線ｐの全長にわたって第一罫線Ｍと第二罫線Ｐとが設けられている必要はなく、当該第一罫線Ｍ及び第二罫線Ｐで折り畳み得る構成を備えておれば、当該前記第一の仮想線ｍ及び第二の仮想線ｐの一部にのみ罫線を設けるようにしてあっても、また、罫線の設けられていない部分を切り抜き線Ｋ’としてあってもよい。
【０１１１】
この図示例に係る折り畳み片部２２は、前記周側シート部２０を起立した状態で、当該折り畳み片部２２を、前記第一罫線Ｍ位置で、この折り畳み片部２２に連続されている第一側部シート部２１’の外周面に反転するように屈曲、添装するように折りつけて、当該折り畳み片部２２における第一片部２２ａ側を第一側部シート部２１’の外周の面に接着した際に、当該第一側部シート部２１’の両側に起立するように備えられる第一罫線Ｍに沿った稜Ｌ、Ｌが、その上端側をやや外開きにして、都合よく、ほぼ直立状態をなすように構成してあり、第一側部シート部２１’に接着するようにしてある。
【０１１２】
かかる折り畳み片部２２は、この第一罫線Ｍ及び第二罫線Ｐ間にあって、前記隅部ｈを通る第三の仮想線ｎに沿って第三罫線Ｎを備えており、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えた構成としてある。
【０１１３】
この図示例では、第一罫線Ｍと第二罫線Ｐとをほぼ等分するように隅部ｈを通る第三の仮想線ｎに沿って隅部ｈから途中位置まで、第三罫線Ｎが設けてあると共に、この第三罫線Ｎの上端から第二罫線Ｐに到る切り抜き線Ｋと、当該第二罫線Ｐ位置にある切り抜き線Ｋから折り畳み部２２の縁端に開口する切り抜き線Ｋ’を設けてあり、この切り抜き線Ｋ、Ｋ’で区分される延設片部分２２ａ”を当該折り畳み片部２２の上部側を構成するように、片部部分２２ａ’から連続するように備えており、前記切り抜き線Ｋに、当該延設片部分２２ａを第二片部２２ｂに連設する非切り抜き部ｋが設けてあり、当該第一片部２２ａと第二片部２２ｂとが一体とされている。
従って、この図示例では、第三の仮想線に沿った第三罫線Ｎは、隅部ｈから前記切り抜き線Ｋ迄の間にのみ備えられている。
【０１１４】
かかる片部部分２２ａ’と連続して第一片部２２ａを構成する延設片部分２２ａ”は、片部部分２２ａ’の、いかなる位置から、いかなる形態に設けるかによって、前記切り抜き線Ｋ、Ｋ’、第三罫線Ｎ等の設計をなす必要がある。
【０１１５】
なお、この図示例に係る容器Ａでは、前記第一罫線Ｍのなす稜Ｌに引っ掛かる掛合片２３が、第二の仮想線ｐの上部位置から折り畳み片部２２側に弧状に構成される切り抜き線Ｋ’で、第二の仮想線ｐから突き出すように当該重ね合わせ片部２１ｂ”に延設して設けてある。
従って、この図示例では、片部部分２２ａ’から延設される延設片部分２２ａ”と、第二側部シート部２１”の重ね合わせ片部２１ｂ”に備えられる掛合片２３とを、前記切り抜き線Ｋ、Ｋ’等で都合よく構成することができる。
【０１１６】
かかる図示例に係る容器Ａを、前記罫線等の施された一枚のシートで構成する場合、まず、底シート部１０から周回罫線Ｇを介して図４に示されるように周側シート部２０を起立させると共に、第一罫線Ｍで折り畳み片部２２を、当該折り畳み片部２２に連続している第一側部シート部２１’の外周面に添装させるように反転、屈曲させ、同時に、第二罫線Ｐに連続されている第二側部シート部２１”、より具体的には、重ね合わせ片部２１ｂ”を当該折り畳み片部２２上を覆うように引き寄せて、当該第一片部２２ａの少なくとも延設片部分２２ａ”を当該折り畳み片部２２の添装されている第一罫線Ｍに連続している第一側部シート部２１’面に接着する。（図５参照）
【０１１７】
この結果、折り畳み片部２２は、前記第一罫線Ｍに連設されている第一側部シート部２１’の外周面に、少なくとも延設片部分２２ａ”を接着された状態で添装状態とされ、かつ、当該折り畳み片部２２に第二罫線Ｐで連設されている第二側部シート部２１”、より具体的には、重ね合わせ片部２１ｂ”が、当該第二罫線Ｐで屈曲されて前記折り畳み片部２２を覆うように当該折り畳み片部２２に添装状態に維持される。
【０１１８】
この結果、折り畳み片部２２は片部部分２２ａ’に一体に延設されている延設片部分２２ａ”を少なくとも当該折り畳み片部２２の第二罫線Ｐ側で、この第一罫線Ｍに連続されている第一側部シート部２１’の外周面に接着してあり、しかも、この延設片部分２２ａ”を構成する切り抜き線Ｋにおける非切り抜き部ｋで当該折り畳み片部２２等に連結してあることから、この折り畳み片部２２の前記第一罫線Ｍからの折り付けに際して当該折り畳み片部２２上を覆う第二罫線Ｐに連続されている第二側部シート部２１”、より具体的には重ね合わせ片部２１ｂ”の重ね合わせ片部分と共に重ね合わされて、容器隅部の周側シート部２０に所要の保形機能をもたらすことができる。
【０１１９】
この図示例に係る側部シート部２１は、より解りやすく説明すると、底シート部１０を囲繞している矩形をなす周回罫線Ｇにおける平行な一対の罫線Ｇａを介して備えられる第一側部シート部２１’、２１’と、当該罫線Ｇａに直交する向きに連続されている一対の罫線Ｇｂ、Ｇｂを介して備えられる第二側部シート部２１”、２１”とを、前記各隅部にある折り畳み片部２２を介して連続して備えた構成としてある。
【０１２０】
この周側シート部２０を構成する前記第一罫線Ｍ、Ｍ間に挟まれた第一側部シート部２１’は、当該第一側部シート部２１’の上端縁２０’が罫線Ｇａより、やや長目の倒台形状に構成してある。
【０１２１】
また、当該周側シート部２０を構成する前記第二罫線Ｐ、Ｐ間に挟まれている第二側部シート部２１”は、当該第二罫線Ｐで折り畳まれた折り畳み片部２２を前記第一罫線Ｍで周側シート部２０の外周の面に折り返すように添装する際に、当該折り畳み片部２２の外面を覆うように、この第一側部シート部２１’に添装状態に接着される折り畳み片部２２に都合よく重ね合わされる重ね合わせ片部２１ｂ”を、前記第二罫線Ｐに連続して備えてある。そして、この重ね合わせ片部２１ｂ”を前記折り畳み片部２２に重ねた際に、前記第一側部シート部２１’と折り畳み片部２２の第一罫線Ｍにおける屈曲縁としての稜Ｌに沿う位置の当該第二側部シート部２１”に第四罫線Ｒを設け、この第四罫線Ｒ、Ｒ間に挟まれた側部シート本体部２１ｂ’を、当該側部シート本体部２１ｂ’の上端縁２０’が罫線Ｇｂより、やや長目の倒台形状に構成する。
【０１２２】
また、この図示例にあっては、前記底シート部１０に備えられている一対の罫線Ｇｂ、Ｇｂの延長線より、僅かに外開きになるように底シート部１０の隅ｈを通る第一の仮想線ｍ、ｍに沿って、それぞれ直線状の第一罫線Ｍ、Ｍが設けてあり、この第一罫線Ｍと、該第一の仮想線ｍとの間に鋭角をつくる当該隅部ｈを通る第二の仮想線ｐに沿って備えられる第二罫線Ｐとで折り畳まれる三角状折り畳み片部２２を構成してあって、この三角状折り畳み片部２２は、組み付け構成される容器Ａの内隅部の納まりをよくするように、第一罫線Ｍで当該折り畳み片部２２を第一側部シート部２１’の外周面に添装状態にして、少なくとも延設片部分２２ａ”を接着した際に、当該折り畳み片部２２と第一側部シート部２１’間の第一罫線Ｍに沿った稜Ｌが、前記第二側部シート部２１”の第四罫線Ｒの内側に近接される構成としてある。すなわち、前記重ね合わせ片部２１ｂ”が前記折り畳み片部２２上に都合よく重ね合わされる形状となるように構成しておくことができる。
【０１２３】
この結果、構成される容器Ａは、底シート部１０から周側シート部２０を直角よりも、僅かに、外側に傾斜するように起立した容器構造とすることができる。
【０１２４】
なお、ここで構成される容器Ａを、調理済み食品のテイクアウト容器として用いる場合、かかる調理済み食品のテイクアウトに要請される各種条件、例えば、十分な耐水性等を前記切り抜き線Ｋから下方部分に備えさせる必要があるものの、液漏れの虞の無い部分は、例えば、第一罫線Ｍの上部側部分に非連続に打ち抜き部Ｋａを設け、良好な折り付けを当該第一罫線Ｍの上部側にもたらすようにしてあってもよい。
【０１２５】
このように構成され、かつ、食品等の収納物を納めた容器Ａを、必要に応じて、前記折り畳み片部２２における第二片部２２ｂを開き出すことによって、当該容器Ａにおける周側シート部２０の上端縁２０’を外向きに開きだして、周側シート部２０に傾斜をもたらして用いることができる。
【０１２６】
かかる折り畳み片部２２における第二片部２２ｂの開き出しは、例えば、図５にある容器Ａの第一側部シート部２１’と側部シート本体部２１ｂ’を相互に引っ張ることで、前記折り畳み片部２２の第三の仮想線ｎから片部部分２２ａ’に連接するように延設片部分２２ａ”を構成する切り抜き線Ｋにおける非切り抜き部ｋを破断し、この非切り抜き部ｋで第一片部２２ａの延設片部分２２ａ”に連接されている第二片部２２ｂを当該折り畳み片部２２に対する添装状態から解放して、第三罫線Ｎで折り曲げ自在とすることによってなされる。（第９図参照）
【０１２７】
この容器Ａを構成する周側シート部２０の開き出しは、折り畳み片部２２における第三罫線Ｎを基点にしてなされる関係から、第二罫線Ｐと第三罫線Ｎとの間に構成される三角状の第二片部２２ｂの横幅の設定によって、容器開口部に必要とされる開きだし量をもたらすことができる。
【０１２８】
なお、折り畳み片部２２の第一罫線Ｍと第二罫線Ｐの中央に隅部ｈを通る第三罫線Ｎとで当該折り畳み片部２２の折り返し幅を設定し、容器Ａの開口幅を自在に設定することができる。この図示例では、第一罫線Ｍと第二罫線Ｐとの中間に隅部ｈを通る第三罫線Ｎを設け、この第三罫線Ｎで折り返すことで第一片部２２ａに重ね合わされた第二片部２２ｂの第二罫線Ｐが前記第一罫線Ｍの外側に近接して沿うように各罫線を構成してあることから、第二の仮想線ｐに連続している側部シート２１ｂの重ね合わせ片部２１ｂ”から当該第二の仮想線ｐを越えて延設されている掛合片２３が、前記非切り抜き部ｋを破断し、かつ、第三罫線Ｎで、前記第一片部２２ａに添装されるように屈曲された当該第二片部２２ｂを、当該屈曲状態に維持して前記第一片部２２ａに密着させるように、前記稜Ｌの外側から当該稜Ｌを超えて内側にある第一側部シート部２１’の面に引っ掛けられ、当該屈曲状態を保持するように機能する。
【０１２９】
すなわち、前記非切り抜き部ｋを破断されて前記第三罫線Ｎで屈曲するように引き戻された第二片部２２ｂは、当該第二片部２２ｂと共に折り曲げられた重ね合わせ片部２１ｂ”と共に外向きに開き出す癖を備えており、当該開きだし癖を、前記掛合片２３を前記稜Ｌ、すなわち、折り畳み片部２２の少なくとも延設片部分２２ａ”の接着されている側部シート２１ａの、外側から、当該稜Ｌを超えて内側の面に引っ掛けることで、防いでおり、前記の第一片部２２ａに密着させるように屈曲された当該第二片部２２ｂを、当該屈曲状態に効果的に維持して、当該容器を第二態様の容器として用い得るようにしてある。（図６及び図１０参照）
【０１３０】
このように、食品等の収納物を確実に収納し、かつ、携帯等に至便な図５の形態から、当該容器Ａの開口部分を図６のように拡げることで、容器Ａ内に収納されている食品等の露出範囲を大きくすることが可能であり、視覚的な演出効果を高めて食欲をそそる盛りつけを可能とし、かつ
、容易に取り出して、摂取するなど、収納物の使用時における外観を整え易く、かつ、取り出し使用を、軽便とすることができる。
【０１３１】
また、必要に応じて、前記掛合片２３の引っ掛け状態を解消して、すなわち、掛合片２３を引っ掛けないで用いることもできる。
【０１３２】
（２）図１１〜図２０に示される典型的な容器Ａについて具体的に説明する。
【０１３３】
この図示例に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで折り畳まれる三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている側部シート部２１ａである第一側部シート部２１’の外周面に前記折り畳み片部２２を添わせるようにして、前記第一片部２２ａの少なくとも前記延設片部分２２ａ”を該第一側部シート部２１’に接着させた態様と、
前記態様から前記切り抜き線Ｋの非切り抜き部ｋを破断し、かつ、前記第二片部２２ｂを前記第三罫線Ｎで前記第一片部２２ａに添装させるように屈曲させると共に、この屈曲状態に、前記周側シート部２０に設けてある掛合片２３を、前記第一罫線Ｍで屈曲されている前記第一側部シート部２１’と前記第一片部２２ａ間にある稜Ｌの外側から内側に超えさせて前記第一側部シート部２１’の面に引っ掛かけて保持し得るように構成してある。
【０１３４】
この図示例に係る容器Ａにおける折り畳み片部２２は、前記第三罫線Ｎが第一罫線Ｍと第二罫線Ｐの中間にあって、前記隅部ｈを通る第三の仮想線ｎに沿って備えられており、前記第一罫線Ｍと前記第三罫線Ｎとの間にある片部部分２２ａ’と、当該片部部分２２ａ’に連続し、かつ、非切り抜き部ｋを有する前記第三の仮想線ｎからの一対の切り抜き線Ｋ、Ｋで区分される突き出し延設片部分２２ａ”とで構成される第一片部２２ａと、当該第一片部２２ａを除く第二片部２２ｂとを備えて構成してある。
そして、この図示例に係る容器Ａでは、前記第二の仮想線ｐから前記第二片部２２ｂに向けて備えられる弧状の切り抜き線Ｋ’で重ね合わせ片部２１ｂ”に連続するように備えられる掛合片２３を構成する当該弧状の切り抜き線Ｋ’と、前記第三の仮想線ｎから該第二の仮想線ｐにある当該弧状の切り抜き線Ｋ’の両端間を連絡する一部に非切り抜き部ｋを有する切り抜き線Ｋで突き出し延設片部分２２ａ”を備える構成としてあり、しかも、前記稜Ｌの外側から当該稜Ｌを越えて内側にある第一側部シート部２１’の面に引っ掛かる掛合片２３を、前記第二罫線Ｐから打ち抜かれて重ね合わせ片部２１ｂ”に連続するように備えた構成とした以外の構成を前記図１〜図１０に示される容器Ａと同一又は実質的に同一の構成としてあり、同様に組み付け接着して前記第一態様の容器Ａとして構成できると共に、容器Ａの第一側部シート部２１’と側部シート本体部２１ｂ’を相互に引っ張ることで切り抜き線Ｋにおける非切り抜き部ｋを破断し、この非切り抜き部ｋで第一片部２２ａの延設片部分２２ａ”に連接されている第二片部２２ｂを当該折り畳み片部２２に対する添装状態から解放して、第三罫線Ｎで第二片部２２ｂを第一片部２２ａに添装するように屈曲し、当該屈曲状態を、前記稜Ｌに掛合片２３を引っ掛けることで第二態様の容器Ａとして、前記図１〜図１０に示される容器Ａと同様に用いることができる。
【０１３５】
従って、前記図１〜図１０に示される容器Ａの構成と同一又は実質的に同一の構成部分には、同一の番号を付して、その説明を省略する。
【０１３６】
（３）図２１〜図２５に示される典型的な容器Ａについて具体的に説明する。
【０１３７】
この図示例に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで折り畳まれる三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている第一側部シート部２１’の外周面に前記折り畳み片部２２を添わせるようにして、前記第一片部２２ａの少なくとも前記延設片部分２２ａ”を該第一側部シート部２１’に接着させた態様と、
前記態様から前記切り抜き線Ｋの非切り抜き部ｋを破断し、かつ、前記第二片部２２ｂを前記第三罫線Ｎで前記第一片部２２ａに添装させるように屈曲させると共に、この屈曲状態に、前記周側シート部２０に設けてある掛合片２３を、前記第一罫線Ｍで屈曲されている前記第一側部シート部２１’と前記第一片部２２ａ間にある稜Ｌの外側から内側に超えさせて前記第一側部シート部２１’の面に引っ掛かけて保持し得るように構成してある。
【０１３８】
この図示例に係る容器Ａにおける折り畳み片部２２は、前記第三罫線Ｎが第一罫線Ｍよりも第二罫線Ｐに近い側に設けてあり、前記非切り抜き部ｋを破断して、前記隅部ｈを通る第三の仮想線ｎに沿って第三罫線Ｎで第二片部２２ｂを第一片部２２ａに添装するように屈曲した際に、第一側部シート部２１’と折り畳み片部２２とが第一罫線Ｍで屈曲される稜Ｌが、重ね合わせ片部２１ｂ”の内側に位置され、しかも、この重ね合わせ片部２１ｂ”に第二罫線Ｐの側に張り出すように弧状の切り抜き線Ｋ”を設けて、この弧状の切り抜き線Ｋ”で構成される掛合片２３を、当該稜Ｌの外側から当該稜Ｌを越えて内側にある第一側部シート部２１’の面に引っ掛け得るようにした以外の構成を前記図１〜図１０に示される容器Ａと同一又は実質的に同一の構成としてあり、同様に組み付け接着して前記第一態様の容器Ａとして構成できると共に、容器Ａの第一側部シート部２１’と第二側部シート部２１”を相互に引っ張ることで切り抜き線Ｋにおける非切り抜き部ｋを破断し、この非切り抜き部ｋで第一片部２２ａの延設片部分２２ａ”に連接されている第二片部２２ｂを当該折り畳み片部２２に対する添装状態から解放して、第三罫線Ｎで第二片部２２ｂを第一片部２２ａに添装するように屈曲し、当該屈曲状態を、前記稜Ｌに掛合片２３を引っ掛けることで第二態様の容器Ａとして、前記図１〜図１０に示される容器Ａと同様に用いることができる。
【０１３９】
従って、前記図１〜図１０に示される容器Ａの構成と同一又は実質的に同一の構成部分には、同一の番号を付して、その説明を省略する。
【０１４０】
（４）図２６〜図３０に示される典型的な容器Ａについて具体的に説明する。
【０１４１】
この図示例に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで折り畳まれる三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている第一側部シート部２１’の外周面に前記折り畳み片部２２を添わせるようにして、前記第一片部２２ａの少なくとも前記延設片部分２２ａ”を該第一側部シート部２１’に接着させた態様と、
前記態様から前記切り抜き線Ｋの非切り抜き部ｋを破断し、かつ、前記第二片部２２ｂを前記第三罫線Ｎで前記第一片部２２ａに添装させるように屈曲させると共に、この屈曲状態に、前記周側シート部２０に設けてある掛合片２３を、前記第一罫線Ｍで屈曲されている前記第一側部シート部２１’と前記第一片部２２ａ間にある稜Ｌの外側から内側に超えさせて前記第一側部シート部２１’の面に引っ掛かけて保持し得るように構成してある。
【０１４２】
この図示例に係る容器Ａにおける折り畳み片部２２は、前記第三の仮想線ｎから非切り抜き部ｋを備えて片部部分２２ａ’に連続される延設片部分２２ａ”が構成する切り抜き線Ｋが、第二罫線Ｐに届かず、第二罫線Ｐから第二片部２２ｂ側に弧状に張り出すように切り込み線Ｋ”で前記重ね合わせ片部２１ｂ”から延設された掛合片２３を、第一側部シート部２１’と折り畳み片部２２とが第一罫線Ｍで屈曲される稜Ｌの外側から当該稜Ｌを越えて内側にある第一側部シート部２１’の面に引っ掛け得るようにした以外の構成を前記図１〜図１０に示される容器Ａと同一又は実質的に同一の構成としてあり、同様に組み付け接着して前記第一態様の容器Ａとして構成できると共に、容器Ａの第一側部シート部２１’と第二側部シート部２１”を相互に引っ張ることで切り抜き線Ｋにおける非切り抜き部ｋを破断し、この非切り抜き部ｋで第一片部２２ａの延設片部分２２ａ”に連接されている第二片部２２ｂを当該折り畳み片部２２に対する添装状態から解放して、第三罫線Ｎで第二片部２２ｂを第一片部２２ａに添装するように屈曲し、当該屈曲状態を、前記稜Ｌに掛合片２３を引っ掛けることで第二態様の容器Ａとして、前記図１〜図１０に示される容器Ａと同様に用いることができる。
【０１４３】
従って、前記図１〜図１０に示される容器Ａの構成と同一又は実質的に同一の構成部分には、同一の番号を付して、その説明を省略する。
【０１４４】
（５）図３１〜図３５に示される典型的な容器Ａについて具体的に説明する。
【０１４５】
この図示例に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで折り畳まれる三角状折り畳み片部２２を備えており、当該折り畳み片部２２間を側部シート部としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている第一側部シート部２１’の外周面に前記折り畳み片部２２を添わせるようにして、前記第一片部２２ａの少なくとも前記延設片部分２２ａ”を該第一側部シート部２１’に接着させた態様と、
前記態様から前記切り抜き線Ｋの非切り抜き部ｋを破断し、かつ、前記第二片部２２ｂを前記第三罫線Ｎで前記第一片部２２ａに添装させるように屈曲させると共に、この屈曲状態に、前記周側シート部２０に設けてある掛合片２３を、前記第一罫線Ｍで屈曲されている前記第一側部シート部２１’と前記第一片部２２ａ間にある稜Ｌの外側から内側に超えさせて前記第一側部シート部２１’の面に引っ掛かけて保持し得るように構成してある。
【０１４６】
この図示例に係る容器Ａにおける折り畳み片部２２は、前記第三罫線Ｎから非切り抜き部ｋを備えて片部部分２２ａ’に連続される延設片部分２２ａ”を構成する切り抜き線Ｋが、第二罫線Ｐに届かず、しかも、第一罫線Ｍで折り返されて第一側部シート部２１’に添装される第二片部２２ｂが当該第一片部２２ａと側部シート部間にある稜Ｌを越えるように、第二片部２２ｂが第一片部２２ａよりも大きな形状としてあり、この結果、第一片部２２ａと第一側部シート部２１’間にある稜Ｌに引っ掛けられる掛合片２３を、当該稜Ｌの外側に重ね合わせ状態に添装される第二片部２２ｂにおける当該稜Ｌに沿った位置に、第三の仮想線ｎに向けて張り出すように設けられる弧状の切り込み線Ｋ”で前記第二罫線Ｐ側から延設されるように設け、この掛合片２３を第一側部シート部２１’と折り畳み片部２２とが第一罫線Ｍで屈曲される稜Ｌの外側から当該稜Ｌを越えて内側にある第一側部シート部２１’の面に引っ掛け得るようにした以外の構成を前記図１〜図１０に示される容器Ａと同一又は実質的に同一の構成としてあり、同様に組み付け接着して前記第一態様の容器Ａとして構成できると共に、容器Ａの周側シート部２１を相互に引っ張ることで切り抜き線Ｋにおける非切り抜き部ｋを破断し、この非切り抜き部ｋで第一片部２２ａの延設片部分２２ａ”に連接されている第二片部２２ｂを当該折り畳み片部２２に対する添装状態から解放して、第三罫線Ｎで第二片部２２ｂを第一片部２２ａに添装するように屈曲し、当該屈曲状態を、前記稜Ｌに掛合片２３を引っ掛けることで第二態様の容器Ａとして、前記図１〜図１０に示される容器Ａと同様に用いることができる。
【０１４７】
従って、前記図１〜図１０に示される容器Ａの構成と同一又は実質的に同一の構成部分には、同一の番号を付して、その説明を省略する。
【０１４８】
（５）図３６〜図４５に示される典型的な容器Ａについて具体的に説明する。
【０１４９】
この発明を実施するための最良の形態に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで区分される三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている第一側部シート部２１’の外周面にそれぞれの前記折り畳み片部２２を添わせるようにして、前記第一片部２２ａの少なくとも前記延設片部分２２ａ”を該第一側部シート部２１’に接着させて第一態様の容器Ａとし、
また、必要に応じて、前記態様から前記切り抜き線Ｋの非切り抜き部ｋを破断し、かつ、前記第二片部２２ｂを前記第三罫線Ｎで前記第一片部２２ａに添装させるように屈曲させると共に、この屈曲状態に、前記第一罫線Ｍで屈曲されている前記第一側部シート部２１’と前記第一片部２２ａ間にある稜Ｌから突設してある掛合片２３を、当該稜Ｌに重ね合わされる他の周側シート部２０の側縁Ｔの内側から当該周側シート部２０の外側の面に引っ掛かけ保持して、第二態様の容器Ａとして用い得る構成としてある。
【０１５０】
この図示例に係る容器Ａは、折り畳み片部２２に備えられる第三罫線Ｎが第一罫線Ｍと第二罫線Ｐの中央にあって、底シート部１０の隅部ｈを通るように設けてあり、折り畳み片部２２を第一罫線Ｍで当該第一罫線Ｍに連続している第一側部シート部２１’の外周の面に添装状態に折り返すと共に、当該折り畳み片部２２における第一片部２２ａの、少なくとも延設片部分２２ａ”を当該第一側部シート部２１’面に接着する構成としてあり、この第一片部２２ａを構成する延設片部分２２ａ”を、第三罫線Ｎから第二罫線Ｐに到る非切り抜き部ｋを備える切り抜き線Ｋと、第二の仮想線ｐに沿って当該切り抜き線Ｋに連続して折り畳み片部２２の外周に連続される切り抜き線Ｋ’とによって区分される前記片部部分２２ａ’に連続するように延設してあると共に、前記第一の仮想線ｍに沿った上部側に第一罫線Ｍを設けることなく、当該部分に第一の仮想線ｍから折り畳み片部２２の側に備えられる切り抜き線Ｋ”で区分される掛合片２３を当該第一側部シート部２１’に連続するように延設してある。
【０１５１】
この結果、各隅部ｈにある第二片部２２ｂを第三罫線Ｎに沿って折り曲げ、当該第二片部２２ｂを第一片部２２ａに添装状態になした際に、第一罫線Ｍに沿った稜Ｌが、この外側に位置づけられる周側シート部２０の第二の仮想線ｐに沿う態様とされる。
【０１５２】
この図示例では、前記延設片部分２２ａ”を構成する切り抜き線Ｋ’によって、第二側部シート部２１”、より具体的には重ね合わせ片部２１ｂ”の第二の仮想線ｐに沿って側縁Ｔが設けられており、前記第一側部シート部２１’の上部の両側方に第一の仮想線ｍから突設するように設けられている掛合片２３が、当該第二側部シート部２１”の内側の面から当該側縁Ｔを越えて外側の面に引っ掛けられて、前記第一片部２２ａに添装するように屈曲された第二片部２２ｂを、当該屈曲状態に維持させて、第二態様の容器Ａとして用い得るようにしてあり、前記以外の構成を前記図１〜図１０に示される容器と同様に構成され、かつ、同様に用いうるようにしてある。
【０１５３】
従って、前記図１〜図１０に示される容器Ａの構成と同一又は実質的に同一の構成部分には、同一の番号を付して、その説明を省略する。
【０１５４】
（６）図４６〜図４７に示される典型的な容器Ａについて具体的に説明する。
【０１５５】
この発明を実施するための最良の形態に係る容器Ａは、
一枚のシートからなる容器Ａであって、
底シート部１０と当該底シート部１０を囲繞するように周回罫線Ｇを介して備えられる周側シート部２０とを備えており、
前記周側シート部２０が前記底シート部１０から前記周回罫線Ｇで折り曲げ起立されて容器Ａを構成するようにしてあると共に、
この周側シート部２０は、前記底シート部１０の各隅部ｈの外側に、それぞれの隅部ｈを通る第一の仮想線ｍに沿って備えられる第一罫線Ｍと、該第一の仮想線ｍとの間に鋭角をつくる当該隅部ｈを通る第二の仮想線ｐに沿って備えられる第二罫線Ｐとで区分される三角状折り畳み片部２２を備えており、当該折り畳み片部２２間を側部シート部２１としてあり、
しかも、前記折り畳み片部２２は、前記第一罫線Ｍ及び第二罫線Ｐ間にあって、前記隅部ｈを通る第三の仮想線ｎに沿って備えられる第三罫線Ｎを有すると共に、
この折り畳み片部２２は、前記第一罫線Ｍと前記第三罫線Ｎとの間にある片部部分２２ａ’と、当該片部部分２２ａ’に連続し、かつ、非切り抜き部ｋを有する前記第三の仮想線ｎからの切り抜き線Ｋで区分される突き出し延設片部分２２ａ”とで構成される第一片部２２ａと、当該第一片部２２ａを除く第二片部２２ｂとを備えており、
前記周側シート部２０の起立に伴って、前記第一罫線Ｍから当該第一罫線Ｍに連設されている第一側部シート部２１’の外周面にそれぞれの前記折り畳み片部２２を添わせるようにして、前記第一片部２２ａの少なくとも前記延設片部分２２ａ”を該第一側部シート部２１’に接着させて第一態様の容器Ａとし、
また、必要に応じて、前記態様から前記切り抜き線Ｋの非切り抜き部ｋを破断し、かつ、前記第二片部２２ｂを前記第三罫線Ｎで前記第一片部２２ａに添装させるように屈曲させると共に、この屈曲状態に、前記第一罫線Ｍで屈曲されている前記第一側部シート部２１’と前記第一片部２２ａ間にある稜Ｌから突設してある掛合片２３を、当該稜Ｌに重ね合わされる他の周側シート部２０のスリット状の側縁Ｔの内側から当該周側シート部２０の外側の面に引っ掛かけ保持して、第二態様の容器Ａとして用い得る構成としてある。
【０１５６】
この図示例に係る容器Ａは、折り畳み片部２２に備えられる第三罫線Ｎが第一罫線Ｍと第二罫線Ｐの中央にあって、底シート部１０の隅部ｈを通るように設けてあり、折り畳み片部２２を第一罫線Ｍで当該第一罫線Ｍに連続している第一側部シート部２１’の外周の面に添装状態に折り返すと共に、当該折り畳み片部２２における第一片部２２ａの、少なくとも延設片部分２２ａ”を当該第一側部シート部２１’面に接着して構成してあり、しかも、第三罫線Ｎから第二罫線Ｐに到る非切り抜き部ｋを備える一対の切り抜き線Ｋと、第二の仮想線ｐに沿って当該切り抜き線Ｋ間を連続する切り抜き線Ｋ’で区分される延設片部分２２ａ”を第一片部２２ａに連続して備えており、しかも、この一対の切り抜き線Ｋ、Ｋ間を連続させる第二の仮想線ｐに沿った切り抜き線Ｋ’に引っ掛かる掛合片２３を前記第一の仮想線ｍから第二の仮想線ｐ側に弧状に張り出すように設けられる切り抜き線Ｋ”で第一側部シート部２１’に延設状態に設けてある。
【０１５７】
この結果、各隅部にある第二片部２２ｂを第三罫線Ｎに沿って折り曲げ、当該第二片部２２ｂを第一片部２２ａに添装状態になした際に、第一罫線Ｍに沿った稜Ｌが、この外側に位置づけられる周側シート部２０の第二の仮想線ｐに沿う態様とされる。
【０１５８】
この図示例では、前記第一の仮想線ｍに沿った稜Ｌから突設されている掛合片２３を、前記延設片部分２２ａ”を構成するために第二の仮想線ｐに沿って設けた切り抜き線Ｋ’で当該第二側部シート部２１”に備えられている側縁Ｔの内側から当該第二側部シート部２１”の外側の面に引っ掛かけ保持して、第二態様の容器Ａとして用い得る構成としてある。
【０１５９】
なお、前記折り畳み片部２２に備えられる第三罫線Ｎを第一罫線Ｍと第二罫線Ｐのなす角を二分する位置でなく、当該第一罫線Ｍ又は第二罫線Ｐのいずれかの側に近づけて設けた場合、前記掛合片２３は、前記側部シート部２１の側縁でなく、当該掛合片２３を備える稜Ｌに近接されている側部シート部２１又は第二片部２２ｂに、当該稜Ｌに沿って当該掛合片２３を受け入れ得る位置にスリットを設け、当該スリットの内側から外側の面に当該スリットを越えさせるように引っ掛け保持して、第二態様の容器Ａとして用いるように構成した以外の構成を前記図１〜図１０に示される容器と同様に構成され、かつ、同様に用いうるようにしてある。
【０１６０】
従って、前記図１〜図１０に示される容器Ａの構成と同一又は実質的に同一の構成部分には、同一の番号を付して、その説明を省略する。
【図面の簡単な説明】
【０１６１】
【図１】典型的な容器の展開状態を示す平面図
【図２】同要部拡大平面図
【図３】同組み付け前のシートの斜視図
【図４】同組み付け途中における容器の斜視図
【図５】同組み付けられて第一の態様に構成された容器の斜視図
【図６】同一部を破断して示した要部の斜視図
【図７】同第一の態様に構成された容器を第二の態様の容器に変更する一過程を示す要部斜視図
【図８】同過程の更に他の一過程を示す要部斜視図
【図９】同過程の更に他の一過程を示す要部斜視図
【図１０】同第二の態様に構成された容器の斜視図
【図１１】他の典型的な容器の展開状態を示す平面図
【図１２】同要部拡大平面図
【図１３】同組み付け前のシートの斜視図
【図１４】同組み付け途中における容器の斜視図
【図１５】同組み付けられて第一の態様に構成された容器の斜視図
【図１６】同一部を破断して示した要部の斜視図
【図１７】同第一の態様に構成された容器を第二の態様の容器に変更する一過程を示す要部斜視図
【図１８】同過程の更に他の一過程を示す要部斜視図
【図１９】同過程の更に他の一過程を示す要部斜視図
【図２０】同第二の態様に構成された容器の斜視図
【図２１】更に他の典型的な容器の展開状態を示す平面図
【図２２】同要部拡大平面図
【図２３】同第一の態様に構成された容器を第二の態様の容器に変更する一過程を示す要部斜視図
【図２４】同過程の更に他の一過程を示す要部斜視図
【図２５】同過程の更に他の一過程を示す要部斜視図
【図２６】更に他の典型的な容器の展開状態を示す平面図
【図２７】同要部拡大平面図
【図２８】同第一の態様に構成された容器を第二の態様の容器に変更する一過程を示す要部斜視図
【図２９】同過程の更に他の一過程を示す要部斜視図
【図３０】同過程の更に他の一過程を示す要部斜視図
【図３１】更に他の典型的な容器の展開状態を示す平面図
【図３２】同要部拡大平面図
【図３３】同第一の態様に構成された容器を第二の態様の容器に変更する一過程を示す要部斜視図
【図３４】同過程の更に他の一過程を示す要部斜視図
【図３５】同過程の更に他の一過程を示す要部斜視図
【図３６】更に他の典型的な容器の展開状態を示す平面図
【図３７】同要部拡大平面図
【図３８】同組み付け前のシートの斜視図
【図３９】同組み付け途中における容器の斜視図
【図４０】同組み付けられて第一の態様に構成された容器の斜視図
【図４１】同一部を破断して示した要部の斜視図
【図４２】同第一の態様に構成された容器を第二の態様の容器に変更する一過程を示す要部斜視図
【図４３】同過程の更に他の一過程を示す要部斜視図
【図４４】同過程の更に他の一過程を示す要部斜視図
【図４５】同第二の態様に構成された容器の斜視図
【図４６】更に他の典型的な容器の展開状態を示す平面図
【図４７】同要部拡大平面図
【符号の説明】
【０１６２】
Ａ  容器
Ｇ  周回罫線
Ｍ  第一罫線
Ｐ  第二罫線
Ｎ  第三罫線
Ｒ  第四罫線
Ｋ  切り抜き線
Ｌ  稜
Ｔ  側縁
１０  底シート部
２０  周側シート部
２１  側部シート部
２２  折り畳み片部
２２ａ  第一片部
２２ａ’  片部部分
２２ａ”  延設片部分
２２ｂ  第二片部
２３  掛合片
【図１】
2009286467.tif 000003
【図２】
2009286467.tif 000004
【図３】
2009286467.tif 000005
【図４】
2009286467.tif 000006
【図５】
2009286467.tif 000007
【図６】
2009286467.tif 000008
【図７】
2009286467.tif 000009
【図８】
2009286467.tif 000010
【図９】
2009286467.tif 000011
【図１０】
2009286467.tif 000012
【図１１】
2009286467.tif 000013
【図１２】
2009286467.tif 000014
【図１３】
2009286467.tif 000015
【図１４】
2009286467.tif 000016
【図１５】
2009286467.tif 000017
【図１６】
2009286467.tif 000018
【図１７】
2009286467.tif 000019
【図１８】
2009286467.tif 000020
【図１９】
2009286467.tif 000021
【図２０】
2009286467.tif 000022
【図２１】
2009286467.tif 000023
【図２２】
2009286467.tif 000024
【図２３】
2009286467.tif 000025
【図２４】
2009286467.tif 000026
【図２５】
2009286467.tif 000027
【図２６】
2009286467.tif 000028
【図２７】
2009286467.tif 000029
【図２８】
2009286467.tif 000030
【図２９】
2009286467.tif 000031
【図３０】
2009286467.tif 000032
【図３１】
2009286467.tif 000033
【図３２】
2009286467.tif 000034
【図３３】
2009286467.tif 000035
【図３４】
2009286467.tif 000036
【図３５】
2009286467.tif 000037
【図３６】
2009286467.tif 000038
【図３７】
2009286467.tif 000039
【図３８】
2009286467.tif 000040
【図３９】
2009286467.tif 000041
【図４０】
2009286467.tif 000042
【図４１】
2009286467.tif 000043
【図４２】
2009286467.tif 000044
【図４３】
2009286467.tif 000045
【図４４】
2009286467.tif 000046
【図４５】
2009286467.tif 000047
【図４６】
2009286467.tif 000048
【図４７】
2009286467.tif 000049